(57)【要約】【課題】  ソフトウェア的により簡単に基準電圧を補正する。【解決手段】  デジタルデータを入出力するデジタルデバイスの基準電圧補正装置において，基準電圧の補正を選択するための基準電圧設定選択部１０と，デジタルデバイスの基準電圧を調節する基準電圧調節回路（可変抵抗１８及び固定抵抗１６）と，基準電圧設定選択部を介して選択された基準電圧補正対象例えばデジタルデバイスＡ，Ｂに対して，出力される基準電圧が変動されるように基準電圧調節回路の設定を変更し，デジタルデバイスのデジタルデータの電送状態を感知してデジタルデータのエラービットが最小化される基準電圧調節回路の最適設定を判断して基準電圧調節回路に対して出力される基準電圧を設定する基準電圧制御プログラムが記憶された基準電圧制御プログラム記憶部（基準電圧制御部１２）とを含む。【選択図】    図１
2004157995.tif 000002
【特許請求の範囲】
【請求項１】
デジタルデータを入出力するデジタルデバイスの基準電圧補正装置において，
前記基準電圧の補正対象となるデジタルデバイスを選択するための基準電圧設定選択部と；
前記デジタルデバイスの前記基準電圧を調節する基準電圧調節回路と；
前記基準電圧設定選択部を介して選択されたデジタルデバイスに対して，出力される基準電圧が変動されるように前記基準電圧調節回路の設定を変更し，前記デジタルデバイスのデジタルデータの電送状態を感知して前記デジタルデータのエラービットが最小化される基準電圧調節回路の最適設定を判断して前記基準電圧調節回路に対して出力される基準電圧を設定する基準電圧制御プログラムが記憶された基準電圧制御プログラム記憶部と；
を含むことを特徴とする基準電圧補正装置。
【請求項２】
前記基準電圧制御プログラムは，ＢＩＯＳプログラムの形態で設けられることを特徴とする請求項１に記載の基準電圧補正装置。
【請求項３】
前記基準電圧調節回路は，
前記デジタルデバイスの主電圧を分圧して，前記基準電圧を生成する可変抵抗及び固定抵抗を含み，
前記基準電圧制御プログラムは，前記基準電圧設定選択部を介して選択された基準電圧補正に応じて，前記可変抵抗の抵抗値を変更し，前記デジタルデバイスのデジタルデータ電送状態を感知して前記デジタルデータのエラービットが最小化される前記可変抵抗の最適抵抗値を判断して前記可変抵抗の抵抗値を設定することを特徴とする請求項１または２に記載の基準電圧補正装置。
【請求項４】
前記基準電圧調節回路の最適設定状態データが記憶される基準電圧最適設定記憶部をさらに含むことを特徴とする請求項１に記載の基準電圧補正装置。
【請求項５】
基準電圧調節のための基準電圧調節回路を有するデジタルデバイスの基準電圧補正方法において，
選択された基準電圧補正の対象となるデジタルデバイスに対して，出力される基準電圧が変動されるように前記基準電圧調節回路の設定を変更する段階と；
前記基準電圧調節回路の設定変更による，前記デジタルデバイスのデジタルデータ電送状態を感知する段階と；
電送される前記デジタルデータのエラービットが最小化される基準電圧調節回路の最適設定を判断する段階と；
前記基準電圧調節回路を前記最適設定により設定する段階と；
を含むことを特徴とする基準電圧補正方法。
【発明の詳細な説明】
【技術分野】
【０００１】
本発明は，基準電圧補正装置及び基準電圧補正方法に係り，より詳細には，電気素子の基準電圧をソフトウェア的に補正することができる基準電圧補正装置及び基準電圧補正方法に関する。
【背景技術】
【０００２】
デジタルシステムを構成する複数の電気素子相互間のデータは，バスを通じて伝達される。このようにバスを通じて電送されるデータは，電気的に１（Ｈｉｇｈ）と０（Ｌｏｗ）に表現されるデジタル形態を有する。電気素子は，電送されたデジタル信号の０と１の組合を認識することによりデータを認識する。このため，電気素子は，受信された信号が１であるか０であるかを区分するための基準電圧（Ｒｅｆｅｒｅｎｃｅ
Ｖｏｌｔａｇｅ，Ｖｒｅｆ）を有する。例えば受信された信号の電圧が基準電圧より高い場合には１と認識し，基準電圧より低い場合には０と認識される。
【０００３】
このような電気素子を有する従来の基準電圧供給装置の概略的な回路図を図３に示す。この回路は，バスを通じてデジタルデータをやりとりする二つの電気素子に基準電圧を供給するものである。
【０００４】
図３に示すように，デジタルデータを入出力するデジタルデバイスＡ１０１とデジタルデバイスＢ１０３は，バス１０５を通じてデジタルデータをやりとりする。デジタルデータは，電気的に０と１に区分される信号の形態を有するので，デジタルデバイスＡ１０１とＢ１０３は入力された信号を区分するための基準電圧（Ｖｒｅｆ）が入力される。
【０００５】
この基準電圧（Ｖｒｅｆ）は，大部分の場合，デジタルデバイスの主電圧であるＶＤＤラインに直列に連結された二つの抵抗（Ｒ１）１２０と抵抗（Ｒ２）１０６との間のノードから出力されるように設計される。従って，基準電圧（Ｖｒｅｆ）は，ＶＤＤを抵抗（Ｒ１）１２０，抵抗（Ｒ２）１０６に分圧した電圧である。ここで，抵抗（Ｒ１）１２０と抵抗（Ｒ２）１０６は，固定された抵抗として設計された後は，抵抗値を調節することは事実上不可能である。
【発明の開示】
【発明が解決しようとする課題】
【０００６】
しかしながら，最近，デジタルデバイスの動作速度が漸次速くなり，データ信号にノイズが発生する場合が頻発するという問題が生じている。従って，データ信号を正確に認識するために，基準電圧（Ｖｒｅｆ）の正確度が重要視されている。
【０００７】
また，ＥＭＩ等と関連して，データ信号の特性を変形させてデータ電送の性能をチューニングする場合には，変更されたデータ信号に従って基準電圧も調節しなければならない。
【０００８】
従来，基準電圧を調節しようとする場合には，使用者はそれぞれ異なる抵抗値を有する抵抗Ｒ１とＲ２を一々回路に連結して適切な基準電圧が提供される抵抗値を探し出した後，適当な抵抗値を有する抵抗にてＲ１とＲ２に一々交替しなければならない不便があった。
【０００９】
そこで，本発明は，このような問題に鑑みてなされたもので，その目的とするところは，より簡単に基準電圧を補正することができる基準電圧補正装置及び基準電圧補正方法を提供することにある。
【課題を解決するための手段】
【００１０】
上記課題を解決するために，本発明のある観点によれば，デジタルデータを入出力するデジタルデバイスの基準電圧補正装置において，前記基準電圧の補正対象となるデジタルデバイスを選択するための基準電圧設定選択部と；前記デジタルデバイスの前記基準電圧を調節する基準電圧調節回路と；前記基準電圧設定選択部を介して選択されたデジタルデバイスに対して，出力される基準電圧が変動されるように前記基準電圧調節回路の設定を変更し，前記デジタルデバイスのデジタルデータの電送状態を感知して前記デジタルデータのエラービットが最小化される基準電圧調節回路の最適設定を判断して前記基準電圧調節回路に対して出力される基準電圧を設定する基準電圧制御プログラムが記憶された基準電圧制御プログラム記憶部と；を含むことを特徴とする基準電圧補正装置が提供される。ここで，前記基準電圧制御プログラムは，ＢＩＯＳプログラムの形態で設けられるようにしてもよい。
【００１１】
また，前記基準電圧調節回路は，前記デジタルデバイスの主電圧を分圧して，前記基準電圧を生成する可変抵抗及び固定抵抗を含み，前記基準電圧制御プログラムは，前記基準電圧設定選択部を介して選択された基準電圧補正に応じて，前記可変抵抗の抵抗値を変更し，前記デジタルデバイスのデジタルデータ電送状態を感知して前記デジタルデータのエラービットが最小化される前記可変抵抗の最適抵抗値を判断して前記可変抵抗の抵抗値を前記最適抵抗値に設定するようにしてもよい。
【００１２】
また，前記基準電圧調節回路の最適設定状態データが記憶される基準電圧最適設定記憶部をさらに含むようにしてもよい。
【００１３】
上記課題を解決するために，本発明の別の観点によれば，基準電圧調節のための基準電圧調節回路を有するデジタルデバイスの基準電圧補正方法において，選択された基準電圧補正対象となるデジタルデバイスに対して，出力される基準電圧が変動されるように，前記基準電圧調節回路の設定を変更する段階と；前記基準電圧調節回路の設定変更による，前記デジタルデバイスのデジタルデータ電送状態を感知する段階と；電送される前記デジタルデータのエラービットが最小化される基準電圧調節回路の最適設定を判断する段階と；前記基準電圧調節回路を前記最適設定により設定する段階とを含むことを特徴とする基準電圧補正方法が提供される。
【発明の効果】
【００１４】
本発明によれば，例えばソフトウェア的に基準電圧を補正することができ，これにより基準電圧をより簡単に最適値となるように補正することができる基準電圧補正装置及び基準電圧補正方法を提供できる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
図１は，本実施形態にかかる基準電圧補正装置の制御ブロック図である。図１に示すように，基準電圧補正装置は，データバス５を通じてデジタルデータを入出力するデジタルデバイスＡ１及びデジタルデバイスＢ３と，デジタルデバイス１，３の主電圧（ＶＤＤ）を分圧して基準電圧（Ｖｒｅｆ）を生成する可変抵抗１８及び固定抵抗１６と，基準電圧（Ｖｒｅｆ）の補正対象となるデジタルデバイスを選択するための基準電圧設定選択部１０と，基準電圧設定選択部１０を介して選択された基準電圧（Ｖｒｅｆ）の補正対象となるデジタルデバイスに応じて，可変抵抗１０の抵抗値を変化させて最適な基準電圧（Ｖｒｅｆ）が出力される可変抵抗１８の最適抵抗値を判断して可変抵抗１８が最適抵抗値を有するように設定する基準電圧制御部１２と，最適抵抗値が記憶される最適抵抗記憶部１４とを備える。なお，上記可変抵抗１８及び固定抵抗１６は基準電圧調整回路の１例を構成する。
【００１７】
基準電圧設定選択部１０は，使用者が基準電圧（Ｖｒｅｆ）を補正する対象となるデジタルデバイスを選択するために設けられる。ここで，基準電圧補正の対象になるデジタルデバイスとしては例えばＣＰＵ，メモリー等様々な種類のものが挙げられる。基準電圧設定選択部１０は，このような多様なデジタルデバイスのうち，使用者が最適化させようとするデジタルデバイスを選択することができる使用者インターフェースとして，バイオス（ＢＩＯＳ）メニュー等の形態で設けるようにしてもよい。
【００１８】
基準電圧制御部１２は，基準電圧補正による選択対象となるデジタルデバイスに応じて，可変抵抗１８の抵抗値を数ｍΩずつ変化させ，可変抵抗１８の抵抗値の変化に対応するデジタル信号をデータバス５にローディングして，デジタルデバイス１，３に入力される信号を確認する。基準電圧制御部１２は，可変抵抗１８の変化によるデジタル信号の電送状態を確認して受信された信号にエラービットが発生されるか否かを確認する。基準電圧制御部１２は，エラービットの発生が顕著に少ない最適抵抗値を算出して可変抵抗１８の抵抗値を算出された最適抵抗値に設定する。
【００１９】
一方，基準電圧制御部１２は，算出された最適抵抗値を最適抵抗記憶部１４に記憶して，可変抵抗１８の抵抗値を常に最適抵抗値に設定する。従って，最適抵抗値がさらに設定される前までは，算出された最適抵抗値に可変抵抗１８の抵抗値が設定されて最適の基準電圧（Ｖｒｅｆ）を提供することができる。
【００２０】
ここで，基準電圧制御部１２は，上述した制御過程を行う基準電圧制御プログラムを記憶した基準電圧制御プログラム記憶部，このプログラムを実行するＣＰＵ（中央処理装置）などを備えるようにしてもよい。このプログラムは，例えばバイオス（ＢＩＯＳ）等のソフトウェアにより具現される。特定のデジタルデバイス１，３の最適電圧設定を選択するための基準電圧設定選択部１０は，ＢＩＯＳで提供されるＢＩＯＳセットアップメニューであってもよい。
【００２１】
次に，上述したような基準電圧補正装置における基準電圧補正方法を，図２のフローチャートに示す。以下の説明では，基準電圧補正装置の基準電圧制御部１２がソフトウェアのＢＩＯＳと具現されたものと仮定する。
【００２２】
先ず，ステップＳ１０にて使用者によりＢＩＯＳセットメニューを通じて，基準電圧（Ｖｒｅｆ）の補正対象となるデジタルデバイスが選択されると，基準電圧制御部１２であるＢＩＯＳは，ステップＳ１２にて選択されたデジタルデバイスに対応する可変抵抗１８の抵抗値を調節する。
【００２３】
次いでステップＳ１４にて基準電圧制御部１２は，可変抵抗１８の抵抗値の変化に対応するデジタル信号をデジタル信号が電送されるデータバス５にローディングして，デジタルデバイス１，３にデジタル信号が電送される状態を確認する。続いてステップＳ１６にて基準電圧制御部１２は，電送されたデジタル信号のエラービットが最小化される基準電圧（Ｖｒｅｆ）が出力されるような可変抵抗１８の最適抵抗値を算出する。
【００２４】
次にステップＳ１８にて基準電圧制御部１２は，算出された最適抵抗値に可変抵抗１８の抵抗値を設定し，ステップＳ２０にて最適抵抗値を最適抵抗記憶部１４に記憶する。これにより，デジタルデバイス１３は，最適の基準電圧（Ｖｒｅｆ）が供給され，次に基準電圧（Ｖｒｅｆ）の調整が必要な場合には，上述した過程を繰り返すことにより，基準電圧（Ｖｒｅｆ）を容易に再調整することができる。
【００２５】
一方，上述した説明では基準電圧の補正のために，可変抵抗の抵抗値を調節及び設定する場合について説明したが，本発明は最適の基準電圧を得ることができる基準電圧調節回路の設定をソフトウェア的に探し出して，これの維持及び再設定をすることができる。従って，本発明は，可変抵抗以外に基準電圧を調節する多様な形態の回路に全部適用することができる。
【００２６】
このように，本実施形態にかかる基準電圧補正装置によれば，デジタルデバイスにデジタル信号を電送する時に，デジタル信号のエラービットが最小化される基準電圧を出力するための基準電圧調節回路の設定を探し出して，これの維持及び再設定することができる。これにより，基準電圧を最適の状態に容易に補正することができる。
【００２７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２８】
本発明は，基準電圧補正装置及び基準電圧補正方法に適用可能であり，特に電気素子の基準電圧をソフトウェア的に補正することができる基準電圧補正装置及び基準電圧補正方法に適用可能である。
【図面の簡単な説明】
【００２９】
【図１】本発明の実施形態にかかる基準電圧補正装置の制御ブロック図である。
【図２】本実施形態にかかる基準電圧補正方法のフローチャートである。
【図３】従来の基準電圧供給装置の回路図である。
【符号の説明】
【００３０】
１      デジタルデバイスＡ
３      デジタルデバイスＢ
５      バス
１０      基準電圧設定選択部
１２      基準電圧制御部
１４      最適抵抗記憶部
１６      固定抵抗
１８      可変抵抗
【図１】
2004157995.tif 000003
【図２】
2004157995.tif 000004
【図３】
2004157995.tif 000005